(57)【要約】【課題】カラーフィルタ等の基板を着色しやすいようにプラズマ処理する。【解決手段】相対的に平行移動可能な第一の電極９と第二の電極１０とを設け、第一の電極に対向するように第二の電極に板状の被処理体１を設置し、両電極を相対平行移動させつつ両電極間に電圧を印加すると共に処理ガスを導入し、両電極間で発生したプラズマを被処理体に照射し、第一の電極が第二の電極及び被処理体に対して相対平行移動する際に、この第一の電極と被処理体との間のプラズマ処理空間を第一の電極における相対平行移動方向に平行な両端部において閉塞部材２２により閉塞する。閉塞部材は第二の電極側から第一の電極側に向かって、第二の電極上における被処理体の表面よりも高く隆起させておく。【選択図】図３
2007229651.tif 000002
【特許請求の範囲】
【請求項１】
相対的に平行移動可能な第一の電極と第二の電極とを設け、第一の電極に対向するように第二の電極に板状の被処理体を設置し、両電極を相対平行移動させつつ両電極間に電圧を印加すると共に処理ガスを導入し、両電極間で発生したプラズマを被処理体に照射し、上記第一の電極が上記第二の電極及び被処理体に対して相対平行移動する際に、この第一の電極と被処理体との間のプラズマ処理空間を第一の電極における相対平行移動方向に平行な両端部において閉塞部材により閉塞するようにしたプラズマ処理方法において、上記閉塞部材を上記第二の電極側から上記第一の電極側に向かって、上記第二の電極上における被処理体の表面よりも高く隆起させておくことを特徴とするプラズマ処理方法。
【請求項２】
請求項１に記載のプラズマ処理方法において、上記閉塞部材をあらかじめ上記相対平行移動方向に沿って伸ばしておくことを特徴とするプラズマ処理方法。
【請求項３】
請求項１に記載のプラズマ処理方法において、閉塞部材として凹溝内に嵌り込むガイドレールを用いることを特徴とするプラズマ処理方法。
【請求項４】
請求項１に記載のプラズマ処理方法において、閉塞部材として複数条の凹溝内に嵌り込むラビリンスレールを用いることを特徴とするプラズマ処理方法。
【発明の詳細な説明】
【技術分野】
【０００１】
本発明は、例えばカラーフィルタの製造に使用することができるプラズマ処理方法に関する。
【背景技術】
【０００２】
図６（Ａ）に示すように、カラーフィルタは基材となるガラス板１を有し、このガラス板１上にブラックマトリックス２を備える。ブラックマトリックス２は多数の微細な凹部３を有し、各凹部３内にＲＧＢの各着色用インク４，５，６がそれぞれ充填されることにより、ＲＧＢの各画素がガラス板１上に形成される。
【０００３】
このカラーフィルタの製造方法としては、従来からフォトリソグラフィ工程を複数回繰り返す顔料分散法等が用いられてきたが、近年、インクジェット装置が用いられるようになった。このインクジェットによる製造方法は、ブラックマトリックス２をガラス板１上に形成した後、インクジェット装置の走査ヘッドでガラス板１上を走査しながらブラックマトリックス２の各凹部３にＲＧＢの各着色用インク４，５，６の微小な液滴を噴射し、図６（Ａ）に示すようなＲＧＢの各色の画素を基材上に形成しようというものである。
【０００４】
ところが、ブラックマトリックス２、着色用インク４，５，６及びガラス板１の性質の相違等から、図６（Ｂ）に示すように、ブラックマトリックス２の凹部３内に例えば着色用インク４，６が適正に充填されない場合がある。この着色用インク４が例えばＲ、Ｂ色であればこのカラーフィルタを使用したディスプレイ上にそのＲ、Ｂ色の欠けた箇所が白抜けとなって現れる。また、図６（Ｃ）に示すように、ブラックマトリックス２の隣り合う凹部３，３間で着色用インク４，５が混じり合う場合が生じる。この場合はディスプレイ上で色が滲み適正な色が表示されなくなる。
【０００５】
このような白抜け、混色等を防止するため、ブラックマトリックス２が形成されたガラス板１に対しプラズマ処理を行うことが提案されている（例えば、特許文献１参照。）。これは、ブラックマトリックス２に有機材料を含有させておき、着色用インク４，５，６に対する非親和性の程度がガラス板１の表面におけるよりもブラックマトリックス２における方がより高くなるような条件下でプラズマ処理をガラス板１にブラックマトリックス２の上から施そうというものである。
【０００６】
このプラズマ処理を行う装置としては、固定電極下で平板状の可動電極を移動させるようにしたものを使用することができる（例えば、特許文献２参照。）。この装置の可動電極上にガラス板を固定して固定電極下で移動させつつ、両電極間に電圧を印加すると共に処理ガスを導入し、両電極間で発生したプラズマをガラス板に照射することができる。これにより、ブラックマトリックス２の着色用インク４，５，６に対する非親和性の程度が高まり、後にインクジェット印刷により各画素の着色用インク４，５，６をガラス板１に対して噴射した場合に図６（Ｂ）（Ｃ）に示したような不具合がある程度解消される。
【０００７】
ところが、可動電極が移動する際、その進行方向に対する左右両側から可動電極とガラス板との間のプラズマ処理空間内に外部の空気ａが巻き込まれることがある。このように外気ａがプラズマ処理空間内に巻き込まれると、処理ガス中に含まれる例えばフッ素が空気ａ中に含まれる水蒸気の水素と結び付く等して、フッ素とブラックマトリックスとの結び付きが妨害され、ブラックマトリックスが被処理体から剥離しやすくなる。また、ブラックマトリックスのインクに対する非親和性が低下したり、ガラス板１の親和性が阻害されたりして図６（Ｂ）（Ｃ）に示したような不具合が依然として発生することになる。
【０００８】
これを防止するため、従来、図７に示すように可動電極７とガラス板１との間のプラズマ処理空間を可動電極における相対平行移動方向に平行な両端部において閉塞部材１４により閉塞し、できるだけ外気ａがプラズマ処理空間内に侵入しないようにしている（例えば、特許文献３参照。）。
【０００９】
【特許文献１】特許第３３２８２９７号公報
【特許文献２】特開２００２−３２０８４５号公報
【特許文献３】特開２００５−１９１５０号公報
【発明の開示】
【発明が解決しようとする課題】
【００１０】
図７に示すように、従来のプラズマ処理方法によれば、閉塞部材１４が可動電極７側から固定電極８側に向かって突出し、閉塞部材１４の先端側に生じる僅かな隙間から外気ａがプラズマ処理空間内に侵入することになる。ところが、この侵入した外気ａは隙間よりも高い位置にあるガラス板１の表面に到達し、上述したと同様なプラズマ処理不良を引き起こす原因となり、図６（Ｂ）（Ｃ）に示したような不具合が依然として発生することとなる。
【００１１】
本発明は、上記問題点を解決することができるプラズマ処理方法を提供することを目的とする。
【課題を解決するための手段】
【００１２】
上記課題を解決するため、本発明は次のような方法を採用する。
【００１３】
すなわち、請求項１に係る発明は、相対的に平行移動可能な第一の電極（９）と第二の電極（１０）とを設け、第一の電極（９）に対向するように第二の電極（１０）に板状の被処理体（１）を設置し、両電極（９，１０）を相対平行移動させつつ両電極（９，１０）間に電圧を印加すると共に処理ガス（ｂ）を導入し、両電極（９，１０）間で発生したプラズマを被処理体（１）に照射し、上記第一の電極（９）が上記第二の電極（１０）及び被処理体（１）に対して相対平行移動する際に、この第一の電極（９）と被処理体（１）との間のプラズマ処理空間を第一の電極（９）における相対平行移動方向（Ｐ）に平行な両端部において閉塞部材（２２，２３，２５）により閉塞するようにしたプラズマ処理方法において、上記閉塞部材（２２，２３，２５）を上記第二の電極（１０）側から上記第一の電極（９）側に向かって、上記第二の電極（１０）上における被処理体（１）の表面よりも高く隆起させておくことを特徴とするプラズマ処理方法である。
【００１４】
ここで、被処理体は例えばカラーフィルタ用の無機材料で出来た基材例えば透明なガラス板とすることができる。基材上には有機材料を含んだ黒インク等でブラックマトリックスが形成される。基材の形状としては、板状のほかフィルム状、シート状等であってもよい。
【００１５】
処理ガスとしては、フッ素又はフッ素化合物を含有したＣＦ4、Ｃ2Ｆ6、ＣＣｌＦ3、ＳＦ6等のハロゲンガスを用いることができる。処理ガスはフッ素又はフッ素化合物に酸素等を混合した混合ガスとし、混合比を調整することにより、ブラックマトリックスと基材面との着色用インクに対する接触角の差を大きくし、ブラックマトリックスの対着色用インクの非親和性を高めると同時に基材面の対着色用インクの親和性を高めることができる。
【００１６】
プラズマ処理は密閉した雰囲気下で行うこともできるが、大気圧雰囲気下で行うこともできる。
【００１７】
被処理体を設置する第二の電極は平板状とすることができ、第一の電極は平板状の第二の電極上を横切るように伸びる棒状とすることができる。
【００１８】
第一の電極と被処理体との間のプラズマ処理空間を第一の電極における相対平行移動方向に平行な両端部において閉塞する閉塞部材は、第二の電極側から第一の電極側に向かって、第二の電極上における被処理体の表面よりも高く隆起させておく。閉塞部材の上端面と被処理体の表面との間の高低差γは、プラズマ処理に支障が生じない程度にできるだけ大きく設定するのが望ましい。閉塞部材の上端面は平坦面のほか曲面であってもよい。閉塞部材の上端面と第一の電極側との間の僅かな隙間δからプラズマ処理空間内に侵入した外気ａは上記高低差γの存在によりプラズマ処理空間内をガラス板１の表面近傍の処理ガスやプラズマを乱すことなく第一の電極寄りに流れる。従って、処理ガス中に含まれる例えばフッ素はブラックマトリックスと円滑に結び付き、ブラックマトリックスの被処理体からの剥離を防止することができる。さらには、ブラックマトリックスと被処理体表面との接触角の差が大きくなり、ブラックマトリックスの黒インクに対する非親和性が被処理体の表面におけるよりも向上する。これにより、ブラックマトリックスに形成される凹部内にカラーフィルタ用のインキを充填した場合、図６（Ｂ）（Ｃ）のごとき色抜け、混色が防止され、同図（Ａ）のごとき適正なインキの充填が達成可能となる。
【００１９】
プラズマ処理空間を閉塞する閉塞部材は、請求項２に記載のように、上記相対平行移動方向（Ｐ）に沿って伸ばしておくのが望ましい。閉塞部材は上記相対平行移動方向（Ｐ）における被処理体の長さよりも長めに設けられる。
【発明の効果】
【００２０】
本発明のプラズマ処理方法によれば、外気（ａ）がプラズマ処理空間内に巻き込まれ難くなるようにし、たとえ微量の外気（ａ）がプラズマ処理空間内に侵入したとしても、外気（ａ）はプラズマ処理空間内を被処理体（１）の表面近傍の処理ガスやプラズマを乱すことなく第一の電極（９）寄りの箇所を流れる。これにより、処理ガス（ｂ）のみをプラズマ化すると共に、処理ガス（ｂ）のプラズマのみでブラックマトリックス（２）と被処理体（１）を処理することができ、ブラックマトリックス（２）の被処理体（１）からの剥離を防止することができる。さらには、ブラックマトリックス（２）と被処理体（１）表面との接触角の差が大きくなり、ブラックマトリックス（２）の着色用インク（４，５，６）に対する非親和性が被処理体（１）の表面におけるよりも向上すると共に、被処理体（１）の表面の対着色用インク親和性が向上し、ブラックマトリックス（２）に形成される凹部（３）内に着色用インキ（４，５，６）を充填した場合、図７（Ｂ）（Ｃ）のごとき色抜け、混色が防止され、同図（Ａ）のごとき適正な着色用インキ（４，５，６）の充填が可能となる。
【００２１】
また、本発明のプラズマ処理方法によれば、被処理体（１）を設置する第二の電極（１０）側に閉塞部材（２２）が配置されるので、従来の第一の電極（９）側に閉塞部材が設けられる場合に比べ、第一と第二の電極（９，１０）間での放電中、閉塞部材（２２）の全体が常に印加されるような事態が回避される。従って、閉塞部材（２２）の放電による損傷が軽減され、閉塞部材（２２）による閉塞性を長期にわたり維持することができる。
【発明を実施するための最良の形態】
【００２２】
以下、図面を参照して本発明を実施するための最良の形態について説明する。
【００２３】
＜実施の形態１＞
このプラズマ処理方法は、カラーフィルタ用の基材となる透明なガラス板１を被処理体とするもので、図６（Ａ）に示すように、このガラス板１の表面にはあらかじめブラックマトリックス２が印刷等により形成されている。ブラックマトリックス２は有機材料である例えばポリイミドやカーボンブラックあるいはチタンブラックを含有する黒色系のインクを用いた印刷等により形成される。
【００２４】
このプラズマ処理方法を実施するについては、図１乃至図３に示すように、このブラックマトリックス２が形成されたガラス板１をプラズマ処理するために相対的に平行移動可能な第一の電極９と第二の電極１０とを使用する。図１中、矢印Ｐはこの平行移動方向を示す。
【００２５】
第一の電極９は、より具体的には図２に示すように走査ヘッド１１内に二本平行に収納された状態で、第二の電極１０の上方を横切るように配置される。この実施の形態１では、走査ヘッド１１が第一の電極９を保持して第二の電極１０の上方を平行移動するようになっているが、走査ヘッド１１を固定して第二の電極１０を第一の電極９に対して平行移動させるようにしてもよい。二本の第一の電極９は、走査ヘッド１１の平行移動方向Ｐで前後二分割されたケース１２，１２でそれぞれ覆われ、セラミック板２７，２７で下側から支えられる。第一の電極９は二本に限らず、一本でもよいし、三本以上であってもよい。
【００２６】
ケース１２，１２間には処理ガスｂの流路１３が形成され、ケース１２，１２の下端においてスリット状の吐出口１３ａが形成される。この吐出口１３ａは第一の電極９に平行に伸びる。処理ガスｂとしては、例えばＣＦ4を含有するガスが使用され、この処理ガスｂが流路１３内を下方に流れて吐出口１３ａから第二の電極１０上に配置されたガラス板１のブラックマトリックス２が形成された表面に向って吹き出る。また、所定箇所にはスリット状の吸引口１５が形成され、この吸引口１５ａからプラズマ処理に不要なガスｄが吸引され排出される。
【００２７】
図１に示すように、第二の電極１０は平板状のステージ電極として形成される。この第二の電極１０上に上記ガラス板１が真空吸引され固定される。真空吸引は図示しないが第二の電極１０の上面に出没する多数の中空ピンにより行われる。
【００２８】
この第二の電極１０における第一の電極９の移動方向の前後両側には、アルミニウム製の電極１６，１６が配置される。所定箇所には、第二の電極１０及びアルミニウム製の電極１６と第一の電極９との間に電圧を印加するための電源１７が設けられる。第一の電極９を第二の電極１０上で平行移動させつつ両電極９，１０間に電圧を印加すると共に上記処理ガスｂを導入することにより、両電極９，１０間でプラズマが発生し、このプラズマが被処理体であるガラス板１に照射される。プラズマ化したフッ素がブラックマトリックス２の有機材料と結び付く等して、ブラックマトリックス２とガラス板１との間での接触角の差が大きくなり、その結果ブラックマトリックス２の着色用インク４，５，６に対する非親和性が向上し、ガラス板１の表面の対インキ親和性が向上する。これにより、後の工程においてブラックマトリックス２の凹部３内にカラーフィルタ用のインキ４，５，６を充填した場合、図６（Ａ）のごとくインキ４，５，６が各凹部３内の全体に適正に広がる。
【００２９】
第二の電極１０のステージ面はガラス板１よりも面積が小さく、ガラス板１の前後端は第二の電極１０から前後方向に突出している。アルミニウム製の電極１６，１６上には、下部固体誘電体１８，１８が第二の電極１０の上面と同一高さの面となるように配置され、この下部固体誘電体１８，１８上にガラス板１の前後端が乗り上がる。下部固体誘電体１８，１８上には、それぞれ上部固体誘電体１９，１９が積層され、これらの上部固体誘電体１９，１９は、ガラス板１の前端と後端にそれぞれガラス板１の高さと同等となるように連接される。ただし、下部固体誘電体１８は、ガラス板１と同等の比誘電率及び電気抵抗値を有する。これにより、第一の電極９と第二の電極１０上のガラス板１との間での放電がガラス板１の前後端においても適正に行われ、その結果ガラス板１の前後端の近傍における画素も適正に形成されることになる。
【００３０】
図３に示すように、第一の電極９が第二の電極１０及びガラス板１に対して平行移動する際に、この第一の電極９とガラス板１との間のプラズマ処理空間が、第一の電極９における相対平行移動方向Ｐに平行な左右両端部において閉塞部材２２により閉塞されるようになっている。そして、この閉塞部材２２は、第二の電極１０側から第一の電極９側に向かって、第二の電極１０上におけるガラス板１の表面よりも高く隆起している。
【００３１】
閉塞部材２２が隆起することにより生じた閉塞部材２２の上端面とガラス板１の表面との間の高低差γは、プラズマ処理に支障が生じない程度にできるだけ大きく設定される。閉塞部材２２の上端面は平坦面とされ、この平坦面が走査ヘッド１１の下側の平坦面に対峙し、両者間に僅かな隙間δが形成される。
【００３２】
被処理体であるガラス板１はその左右両端部においても第二の電極１０の左右両端から食み出しているが、第二の電極１０の左右にはガラス板１の食み出した部分を支えるために支持体２０，２０が設けられる。支持体２０，２０のガラス板１の下面に接する箇所はスペーサ２１，２１として形成される。支持体２０は樹脂等の絶縁材で形成される。スペーサ２１は樹脂その他の材料で形成される。スペーサ２１は支持体２０と一体化してもよい。このスペーサ２１上に上記絶縁材で形成された閉塞部材２２が固定される。
【００３３】
閉塞部材２２は第二の電極１０の長さと同じ長さに形成してもよいし、ガラス板１の全長にわたって設けてもよいし、アルミニウム製の電極１６，１６の端まで支持体２０及びスペーサ２１と共に延長してもよい。
【００３４】
閉塞部材２２は断面形が長方形の板であり、閉塞部材２２の上面が平坦に延びていることから、第一の電極９を支持した走査ヘッド１１の平坦な下面との間の狭い隙間が長く延びることとなり、その結果外気ａの遮断が適正に行われる。しかし、閉塞部材２２の形状としてはこれに限られるものではなく、図３に示す閉塞部材２２と第一の電極９との間の間隙δが外気を通し難くなるものであれば他のどのような形状であってもよい。また、図示例では閉塞部材２２はスペーサ２１や支持体２０と別体となっているが一体であってもよい。
【００３５】
このように、閉塞部材２２が第一の電極９と第二の電極１０との間に介在することにより、第一の電極９が移動する際に外気ａが第一の電極９と被処理体であるガラス板１との間のプラズマ処理空間内に巻き込まれ難くなる。これにより、処理ガスｂが適正にプラズマ化されると共に、処理ガスｂのプラズマのみがブラックマトリックス２とガラス板１を処理することになる。
【００３６】
また、図３に示すように、大部分の外気ａはこの閉塞部材２２により遮断されるが、僅かの外気ａが隙間δからプラズマ処理空間内に侵入する場合がある。このプラズマ処理空間内に侵入した外気ａは上記高低差γの存在によりプラズマ処理空間内をガラス板１の表面近傍の処理ガスｂやプラズマを乱すことなく第一の電極９寄りの箇所を流れる。従って、処理ガスｂ中に含まれる例えばフッ素はブラックマトリックス２と円滑に結び付き、ブラックマトリックス２のガラス板１からの剥離が防止される。さらには、さらにはブラックマトリックス２とガラス板１の表面との接触角の差が大きくなり、ブラックマトリックス２の着色用インク４，５，６に対する非親和性が向上し、ガラス板１の表面の着色用インク４，５，６に対する親和性が向上し、ブラックマトリックス２の凹部３内にカラーフィルタ用のインキ３，４，５が適正に充填されることとなる。
【００３７】
ちなみに、本発明者等の実験によれば、電源１７による第一と第二の電極９，１０間の印加電圧を１ｋＨｚ〜５０ｋＨｚ、１００Ｖ〜３００Ｖとし、プラズマ処理空間の間隙を０．１ｍｍ〜１０ｍｍ好ましくは０．１ｍｍ〜１ｍｍとし、上記δを０．０１ｍｍ〜１ｍｍとし、ガラス板１と閉塞部材２２との間の段差γを０ｍｍ〜１０ｍｍ好ましくは０ｍｍ〜１ｍｍとすることにより、ガラス板１の表面及びブラックマトリックス２に対し支障なくプラズマ処理を行うことができ、ブラックマトリックス２の凹部３内に適正にインキ４，５，６を塗布することができることが分かった。
【００３８】
次に、上記プラズマ処理方法を実施する手順の具体例について説明する。
【００３９】
図１に示すように、被処理体であるガラス板１を第二の電極１０上に配置し固定する。このガラス板１の設置は例えばロボットにより行うことができる。
【００４０】
ガラス板１の設置が終わると、第一の電極９を第二の電極１０の上方でＰ方向に平行移動させる。具体的には図２に示す走査ヘッド１１が移動する。この第一の電極９の移動中、図２に示すごとく両電極９，１０間に電圧を印加すると共に処理ガスｂを導入し、両電極９，１０間で発生したプラズマをガラス板１の表面にブラックマトリックス２の上から照射する。
【００４１】
この第一の電極９が移動する際、図３に示すように、第一の電極９における平行移動方向Ｐに平行な左右両端部とガラス板１の左右両端部との間の隙間が閉塞部材２２によって塞がれ、僅かな間隙δのみが生じる。これにより、第一の電極９が移動する際に外気ａが第一の電極９とガラス板１との間のプラズマ処理空間内に巻き込まれ難くなり、処理ガスｂ（図２参照）のみがプラズマ化されると共に、処理ガスｂのプラズマのみがガラス板１の表面及びブラックマトリックス２を処理することになる。
【００４２】
また、図３に示すように、大部分の外気ａはこの閉塞部材２２により遮断されるが、僅かの外気ａが隙間δからプラズマ処理空間内に侵入する場合がある。このプラズマ処理空間内に侵入した外気ａは上記高低差γの存在によりプラズマ処理空間内をガラス板１の表面近傍の処理ガスｂやプラズマを乱すことなく第一の電極９寄りの箇所を流れる。
【００４３】
これにより、ブラックマトリックス２のガラス板１からの剥離がより的確に防止され、さらには、ブラックマトリックス２の着色用インク４，５，６に対する非親和性がガラス板１の表面におけるよりも向上し、ガラス板１の表面の着色用インク４，５，６に対する親和性が向上する。その結果、ブラックマトリックス２は着色用インク４，５，６を撥ねやすくなり、凹部３内のガラス板１の表面には着色用インク４，５，６が付着しやすくなる。
【００４４】
この後、ガラス板１はインクジェット方式による印刷に供され、カラーフィルタ用の各色の着色用インク４，５，６がブラックマトリックス２の凹部３内に噴射される。ガラス板１は上述したプラズマ処理が施されていることから、図６（Ａ）のごとくカラーフィルタ用の各色インキ４，５，６がブラックマトリックス２の凹部３内におけるガラス板１の表面上に適正に充填されることとなる。
【００４５】
なお、着色用インクの充填はインクジェット方式によらず、オフセット印刷等他の方式で行うことも可能である。
【００４６】
＜実施の形態２＞
図４に示すように、この実施の形態２のプラズマ処理方法では、閉塞部材として凹溝２４内に嵌り込むガイドレール２３を使用する。
【００４７】
具体的には、ガイドレール２３を上記支持体２０上に走査ヘッド１１の平行移動方向Ｐに平行に固定し、第一の電極９を保持する走査ヘッド１１の凹溝２４内にガイドレール２３をスライド可能に嵌め込む。
【００４８】
第一の電極９はプラズマ処理空間を左右両側から完全に遮断した状態で第二の電極１０の上方を移動するので、第一の電極９とガラス板１との間への外気ａの巻き込みがより確実に防止される。また、凹溝２４内とガイドレール２３との摺接により生じる微小な塵埃等は凹溝２４の空洞２４ａ内に封じ込められ、ガラス板１等の上への落下が防止される。
【００４９】
＜実施の形態３＞
図５に示すように、この実施の形態３のプラズマ処理方法では、閉塞部材として複数条の凹溝２６内に嵌り込むラビリンスレール２５を使用する。
【００５０】
具体的には、ラビリンスレール２５を上記支持体２０上に固定し、第一の電極９を保持する走査ヘッド１１の複数条の凹溝２６内に、ラビリンスレール２５の複数本の凸条をラビリンス状の空隙を介するように嵌め込む。これにより、第一の電極９はプラズマ処理空間を左右両側から遮断した状態で第二の電極１０の上方を移動し、第一の電極９とガラス板１との間への外気ａの巻き込みを阻止する。
【００５１】
このように、ラビリンス状の空隙が介在することから、外気ａに対する閉塞性能を高めつつ、実施の形態２におけるような直接接触による塵埃等の発生を防止することができる。また、ラビリンス状の空隙を微量の外気が通った場合であっても、実施の形態１の説明で述べたと同様な理由からプラズマ処理を妨害することはない。
【００５２】
なお、本発明は、上記実施の形態に限定されるものではなく、例えば実施の形態ではカラーフィルタの製造について説明したが、カラー有機ＥＬ等の製造についても適用可能である。また、上記実施の形態では第一の電極を第二の電極に対して平行移動させるようにしたが、第一の電極を固定して第二の電極を平行移動させるようにしてもよい。
【図面の簡単な説明】
【００５３】
【図１】本発明の実施の形態１に係るプラズマ処理方法を実施するための装置の概略を示す垂直断面図である。
【図２】図１中、第一の電極を有した走査ヘッドの構造を示す断面図である。
【図３】図１中、ＩＩＩ−ＩＩＩ線矢視断面図である。
【図４】本発明の実施の形態２を示す図３と同様な断面図である。
【図５】本発明の実施の形態３を示す図３と同様な断面図である。
【図６】カラーフィルタの模式拡大断面図であり、（Ａ）は正常なカラーフィルタを示し、（Ｂ）は色抜けを生じたカラーフィルタを示し、（Ｃ）は色混じりを生じたカラーフィルタを示す。
【図７】従来のプラズマ処理方法を実施する装置を示す図３と同様な断面図である。
【符号の説明】
【００５４】
１…ガラス板
２…ブラックマトリックス
３…凹部
４，５，６…着色用インク
９…第一の電極
１０…第二の電極
２３…ガイドレール
２５…ラビリンスレール
ａ…外気
ｂ…処理ガス
Ｐ…相対平行移動方向
【図１】
2007229651.tif 000003
【図２】
2007229651.tif 000004
【図３】
2007229651.tif 000005
【図４】
2007229651.tif 000006
【図５】
2007229651.tif 000007
【図６】
2007229651.tif 000008
【図７】
2007229651.tif 000009